(57)【特許請求の範囲】
【請求項１】
メータで検針したデータを含む情報を収集すべく無線回線を介してメータに設けられた無線機子機と通信を行う無線機親機を有し、該無線機親機１台に対して無線機子機をＮ台接続することができるように無線機親機と無線機子機とが１対Ｎに構成された無線自動検針システムであって、
無線機親機と無線機子機との通信において送信側となる無線機は、自動検針用無線通信であることを示すシステム識別情報および相手無線機を概略的に特定するためのグループ識別情報と端末識別情報を符号化して連続的に送信する送信手段を有し、
受信側となる無線機は、無線電波の有無を検出するキャリアセンス動作を間欠的に繰り返し行うキャリアセンス手段と、該キャリアセンス手段により無線電波を検出し、この検出電波から前記システム識別情報、前記グループ識別情報および前記端末識別情報を検出した場合、これらの情報に続いて送信されてくる自分の無線機の正規の無線呼出名称および制御情報を受信して自動検針用の無線通信動作を開始するように制御する制御手段と、前記検出電波から前記システム識別情報および前記グループ識別情報を検出したが、前記端末識別情報を検出できない場合、前記間欠キャリアセンス動作を所定期間停止する停止手段とを有することを特徴とする無線自動検針システム。
【請求項２】
メータで検針したデータを含む情報を収集すべく無線回線を介してメータに設けられた無線機子機と通信を行う無線機親機を有し、該無線機親機１台に対して無線機子機をＮ台接続することができるように無線機親機と無線機子機とが１対Ｎに構成された無線自動検針システムであって、
無線機親機と無線機子機との通信において送信側となる無線機は、自動検針用無線通信であることを示すシステム識別情報および相手無線機を概略的に特定するためのグループ識別情報と無線機親機から同一グループ内のすべての無線機子機を起動するための共通コードを符号化して連続的に送信する送信手段を有し、
受信側となる無線機は、無線電波の有無を検出するキャリアセンス動作を間欠的に繰り返し行うキャリアセンス手段と、該キャリアセンス手段により無線電波を検出し、この検出電波から前記システム識別情報、前記グループ識別情報および前記共通コードを検出した場合、前記間欠キャリアセンス動作を停止しないように制御し、これらの情報に続いて送信されてくる自分の無線機の正規の無線呼出名称および制御情報を受信して自動検針用の無線通信動作を開始するように制御する制御手段とを有することを特徴とする無線自動検針システム。
【請求項３】
前記グループ識別情報および前記端末識別情報に通信種別識別情報を付加し、該通信種別識別情報により間欠キャリアセンス動作の停止時間を可変する手段を有することを特徴とする請求項１記載の無線自動検針システム。
【請求項４】
前記通信種別識別情報は間欠キャリアセンス動作を所定時間停止させる情報を有し、該情報に基づき無線機親機から無線機子機の間欠キャリアセンス動作を所定時間停止させる手段を有することを特徴とする請求項３記載の無線自動検針システム。
【発明の詳細な説明】
【０００１】
【発明の属する技術分野】
本発明は、メータで検針したデータを含む情報を収集すべく無線回線を介してメータに設けられた無線機子機と通信を行う無線機親機を有し、該無線機親機１台に対して無線機子機をＮ台接続することができるように無線機親機と無線機子機とが１対Ｎに構成された無線自動検針システムに関し、更に詳しくは、１台の無線機親機とＮ台の無線機子機からなる同一グループ内への無線通信において相手無線機を適確に起動して無線機親機と無線機子機との間の無線通信を開始し、メータ検針データを収集し得る無線自動検針システムに関する。
【０００２】
【従来の技術】
この種の無線自動検針システムは、図２に示すように、メータ２９ａ〜２９ｎで測定した例えば水道、ガスなどの使用量の検針データまたはメータで発生した異常情報を無線機子機２８ａ〜２８ｎから無線回線を介して無線機親機２７に送信し、それから端末側網制御装置（Ｔ−ＮＣＵ）２６、交換機２４、自動着信用網制御装置（ＭＡ−ＮＣＵ）２３を介してセンタ装置２１に送信してセンタ装置２１で収集するようになっている。
【０００３】
このような無線機親機２７と無線機子機２８ａ〜２８ｎとの無線通信において、送信側となる無線機は、システム識別情報および短縮型呼出名称を符号化して連続的に送信し、受信側となる無線機はキャリアセンス動作を間欠的に繰り返し行って、無線電波を検出した場合、前記検出電波から前記システム識別情報および短縮型呼出名称情報を検出し、これらの情報に続く自分の無線機の正規の無線呼出名称および制御情報を受信して自動検針用の無線通信動作を開始するため、ノイズなどに影響されることなく、正規の通信のみを識別することができる。
【０００４】
【発明が解決しようとする課題】
上述したように、無線機親機と無線機子機が１対Ｎに構成された無線自動検針システムにおいて、同一グループ内の無線機親機とある無線機子機との通信により発信される電波が他の無線機子機で検出され、この度毎に該無線機子機が受信動作を行ってしまい、無線機子機の電池が無駄に消耗されるという問題がある。
【０００５】
本発明は、上記に鑑みてなされたもので、その目的とするところは、他の通信やノイズの影響を受けることなく、自無線機に対する無線呼出のみを適確かつ短時間で識別し、電池の消耗を低減することができる無線自動検針システムを提供することにある。
【０００６】
【課題を解決するための手段】
上記目的を達成するため、請求項１記載の本発明は、メータで検針したデータを含む情報を収集すべく無線回線を介してメータに設けられた無線機子機と通信を行う無線機親機を有し、該無線機親機１台に対して無線機子機をＮ台接続することができるように無線機親機と無線機子機とが１対Ｎに構成された無線自動検針システムであって、無線機親機と無線機子機との通信において送信側となる無線機は、自動検針用無線通信であることを示すシステム識別情報および相手無線機を概略的に特定するためのグループ識別情報と端末識別情報を符号化して連続的に送信する送信手段を有し、受信側となる無線機は、無線電波の有無を検出するキャリアセンス動作を間欠的に繰り返し行うキャリアセンス手段と、該キャリアセンス手段により無線電波を検出し、この検出電波から前記システム識別情報、前記グループ識別情報および前記端末識別情報を検出した場合、これらの情報に続いて送信されてくる自分の無線機の正規の無線呼出名称および制御情報を受信して自動検針用の無線通信動作を開始するように制御する制御手段と、前記検出電波から前記システム識別情報および前記グループ識別情報を検出したが、前記端末識別情報を検出できない場合、前記間欠キャリアセンス動作を所定期間停止する停止手段とを有することを要旨とする。
【０００７】
請求項１記載の本発明にあっては、送信側無線機はシステム識別情報およびグループ識別情報と端末識別情報を符号化して連続的に送信し、受信側無線機は間欠キャリアセンス動作で無線電波を検出し、該検出電波からシステム識別情報およびグループ識別情報を検出したが、端末識別情報を検出できない場合、間欠キャリアセンス動作を所定期間停止するため、無駄なキャリアセンス動作による電池の消耗を低減できる。
【０００８】
また、請求項２記載の本発明は、メータで検針したデータを含む情報を収集すべく無線回線を介してメータに設けられた無線機子機と通信を行う無線機親機を有し、該無線機親機１台に対して無線機子機をＮ台接続することができるように無線機親機と無線機子機とが１対Ｎに構成された無線自動検針システムであって、無線機親機と無線機子機との通信において送信側となる無線機は、自動検針用無線通信であることを示すシステム識別情報および相手無線機を概略的に特定するためのグループ識別情報と無線機親機から同一グループ内のすべての無線機子機を起動するための共通コードを符号化して連続的に送信する送信手段を有し、受信側となる無線機は、無線電波の有無を検出するキャリアセンス動作を間欠的に繰り返し行うキャリアセンス手段と、該キャリアセンス手段により無線電波を検出し、この検出電波から前記システム識別情報、前記グループ識別情報および前記共通コードを検出した場合、前記間欠キャリアセンス動作を停止しないように制御し、これらの情報に続いて送信されてくる自分の無線機の正規の無線呼出名称および制御情報を受信して自動検針用の無線通信動作を開始するように制御する制御手段を有することを要旨とする。
【０００９】
請求項２記載の本発明にあっては、同一グループ内のすべての無線機子機を起動するための共通コードを使用して、無線機子機がグループ識別情報を検出し、かつ共通コードを検出した場合には、間欠キャリアセンス動作を停止しないため、無線機親機から同一グループ内のすべての無線機子機を起動して検針データの収集やメータの設定値の書き換え等を効率的に行うことができる。
【００１０】
更に、請求項３記載の本発明は、請求項１記載の発明において、前記グループ識別情報および前記端末識別情報に通信種別識別情報を付加し、該通信種別識別情報により間欠キャリアセンス動作の停止時間を可変する手段を有することを要旨とする。
【００１１】
請求項３記載の本発明にあっては、グループ識別情報および端末識別情報に通信種別識別情報を付加し、該通信種別識別情報により間欠キャリアセンス動作の停止時間を可変するため、受信側無線機はシステム識別情報およびグループ識別情報を検出したが、端末識別情報を検出できない場合、通信種別識別情報により間欠キャリアセンス動作の停止時間を可変し、同一グループ内の無線機親機と無線機子機との通信でのキャリアセンス動作による電池の消耗を低減することができる。
【００１２】
請求項４記載の本発明は、請求項３記載の発明において、前記通信種別識別情報が間欠キャリアセンス動作を所定時間停止させる情報を有し、該情報に基づき無線機親機から無線機子機の間欠キャリアセンス動作を所定時間停止させる手段を有することを要旨とする。
【００１３】
請求項４記載の本発明にあっては、通信種別識別情報に設けられた間欠キャリアセンス動作の所定時間停止情報に基づき無線機子機の間欠キャリアセンス動作を所定時間停止させるため、無線機親機からの無線通信による無線機子機を起動する間隔に合わせて、無線機子機の間欠キャリアセンス動作を停止でき、電池の消耗を低減できる。
【００１４】
【発明の実施の形態】
以下、図面を用いて本発明の実施の形態について説明する。
【００１５】
図１は、本発明の第１の実施形態に係わる無線自動検針システムに適用される無線機の構成を示すブロック図である。同図に示す無線自動検針システムは、上述した図２に示すように、メータで検針したデータを含む情報を収集すべく無線回線を介してメータに設けられた無線機子機と通信を行う無線機親機を有し、特に無線機親機１台に対して無線機子機をＮ台接続することができるように無線機親機と無線機子機とが１対Ｎに構成しているものである。
【００１６】
同図に示す無線機は、上述した図２に示す無線機親機２７、無線機子機２８ａ〜２８ｎ、メータ２９ａ〜２９ｎに適用しうるものであり、相手無線機と通信するためのアンテナ１、該アンテナ１を介して相手無線機からの無線信号を間欠キャリアセンス動作により受信し、キャリア検出信号を出力する無線受信回路２、アンテナ１を介して相手無線機に信号を送信する無線送信回路３、前記無線受信回路２からのキャリア検出信号を受信して受信動作を開始するとともに、送信動作を含む全体の動作を制御する例えばＣＰＵからなる制御回路４、無線受信回路２の間欠キャリアセンス動作で受信した電波から後述するシステム識別符号を検出するシステム識別符号検出回路５、同様に無線受信回路２の間欠キャリアセンス動作で受信した電波から後述するグループ識別情報を検出するグループ識別情報検出回路６、無線機親機より予め設定されている端末識別情報を記憶する端末識別情報記憶回路７、無線受信回路２の間欠キャリアセンス動作で受信した電波から端末識別情報を検出する端末識別情報検出回路８、相手無線機に対して後述するシステム起動信号を連続的に送信するシステム起動信号連続送信回路９、無線受信回路２に間欠キャリアセンス動作を行わせしめるための間欠受信動作タイミングを発生する間欠受信動作タイミング発生回路１０、無線受信回路２の間欠キャリアセンス動作を停止するための間欠受信動作停止タイミングを発生する間欠受信動作停止タイミング発生回路１１ａ〜１１ｎ、自己の無線機の呼出名称を記憶している自己無線機呼出名称記憶回路１２、相手の無線機の呼出名称を記憶している相手無線機呼出名称記憶回路１３、自己の無線機に接続されているメータの識別情報であるメータＩＤを記憶しているメータＩＤ記憶回路１４を有する。
【００１７】
図１に示した無線機が相手無線機を呼び出すための送信電文の構成を図３に示す。図３に示す送信電文は、１００ビット以上のビット同期信号５１、３１ビットのフレーム同期信号５２、６３ビットＢＣＨ（６３，５１）符号からなる自局の無線機呼出名称５３、システム起動信号５４、１２桁の相手無線機の呼出名称または１４桁のメータＩＤからなる相手局限定情報５８、およびデータなどからなる制御情報５９から構成されている。また、前記自局の無線機呼出名称５３は図３に拡大して示すように４ビット×１２桁および１６ビットの誤り訂正冗長ビットから構成されている。
【００１８】
前記システム起動信号５４は、図３に拡大して示すように、相手無線機との同期をとるための例えば１０１０…の繰り返しからなる１７ビットの短いビット同期信号５５、自動検針用通信であることを示し、例えばＰＮ３段（１，０がランダムに発生するビット系列）の符号を用いた１５ビットのシステム識別符号５６、呼び出しているグループと端末をある程度特定するための、例えば誤り訂正符号であるＢＣＨ符号（ＢＣＨ（３２，１６）またはＢＣＨ（３１，２６））を用いていて、グループ識別情報６０と端末識別情報６１と誤り訂正冗長ビット６２とグループ・端末識別情報５７からなる複数のパケットから構成されている。このように構成される短いビット同期信号５５、システム識別符号５６、グループ識別情報６０、端末識別情報６１、からなる複数のパケットを間欠キャリアセンス動作の周期以上の時間、連続して無線機の無線送信回路３から送信する。
【００１９】
具体的には、グループ・端末識別情報５７は、図３に拡大して示すように、４ビット×２桁である８ビットのグループ識別情報６０、４ビット×２桁である８ビットの端末識別情報６１の計１６ビットのデータと残り１６ビットの誤り訂正冗長ビット６２で構成されているが、第１の実施形態では、前記グループ識別情報６０の４ビット×２桁のデータとして、予め各グループ毎の無線機親機に設定されている１２桁の数字からなる無線機呼出名称の下２桁を４ビットの２進数からなる８ビットで表し、端末識別情報６１は、予め親機より設定された相手無線機の端末情報の２桁の数字を４ビットの２進数からなる８ビットで表したものを使用している。
【００２０】
次に、以上のように構成される無線機および送信電文を使用した無線自動検針システムの作用を説明する。
【００２１】
図２に示す無線自動検針システムにおけるセンタ装置２１からのノーリンギング通信では、センタ装置２１はセンタ側網制御装置２２、交換機２４、ノーリンギング着信用トランク２５を介して端末側網制御装置２６にノーリンギング着信して端末側網制御装置２６を呼び出し、該端末側網制御装置２６から無線機親機２７を介して間欠キャリアセンス受信動作中の無線機子機２８ａ〜２８ｎからメータ２９ａ〜２９ｎにアクセスし、前記メータ２９ａ〜２９ｎで測定した検針データを逆の経路でセンタ装置２１に送信して収集する。
【００２２】
また、メータ２９ａ〜２９ｎからの端末発呼通信では、メータ２９ａ〜２９ｎは無線機子機２８ａ〜２８ｎを起動し、無線機子機２８ａ〜２８ｎから間欠キャリアセンス受信動作中の無線機親機２７を呼び出し、さらに無線機親機２７から端末網制御装置２６、交換機２４、自動着信網制御装置２３を介してセンタ装置２１を呼び出し、メータ２９ａ〜２９ｎの検針データをセンタ装置２１に送信して収集する。
【００２３】
上述した無線自動検針システムにおける無線機親機２７と無線機子機２８ａ〜２８ｎとの間の無線通信においては、受信状態にある無線機は電池の消耗を低減するために、制御回路４は間欠受信動作タイミング発生回路１０からの間欠受信タイミングを受信し、このタイミングで無線受信回路２を間欠的に駆動し、これにより間欠キャリアセンス動作を図４（ａ）に示すように行っている。
【００２４】
一方、この間欠キャリアセンス受信動作に対して、送信側となる無線機は、制御回路４の制御のもとにシステム起動信号連続送信回路９が自己無線機呼出名称記憶回路１２、または相手無線機呼出名称記憶回路１３に予め記憶されている相手無線機の呼出名称と端末識別情報記憶回路７に予め記憶されている相手無線機の端末識別情報から上述したシステム起動信号５４を生成して、図３に示す送信電文を作成する。そして、この送信電文を図４（ｂ）の無線起動送信４１として示すように無線送信回路３からアンテナ１を介して相手無線機に対して連続的に送信する。
【００２５】
これに対して、受信側の無線機は、制御回路４の制御のもとに上述したように無線受信回路２を一定時間毎に間欠的に動作させて間欠キャリアセンス動作を行っている。この結果、受信側の無線機ではアンテナ１を介してキャリア（電波）が無線受信回路２で受信された場合には、図１に示すようにこのキャリア受信信号を制御回路４に供給して、無線受信回路２を引き続き動作させ、システム起動信号５４を受信できる状態として、この受信電波が相手無線機から自無線機への送信電文であるかをチェックするために、システム起動信号５４をシステム識別符号検出回路５、グループ識別情報検出回路６、端末識別情報検出回路８に供給する。
【００２６】
システム識別符号検出回路５は、受信したシステム起動信号中に「システム識別符号」に一致するビット構成があるか否かをチェックし、システム識別符号に一致するビット構成を検出した場合には、システム識別符号検出信号を制御回路４に供給する。
【００２７】
また、グループ識別情報検出回路６および端末識別情報検出回路８は、それぞれ受信したシステム起動信号５４中に当該受信側の無線機をある程度特定する「グループ・端末識別情報」、すなわち第１の実施形態では、当該受信側の無線機に予め設定されている「無線機親機呼出名称の下２桁からなる８ビットからなるグループ識別情報６０」および各グループの親機より予め設定されている「端末識別情報の２桁からなる８ビットからなる端末識別情報６１」に一致するビット構成があるか否かをチェックし、一致するビット構成を検出した場合には、グループ識別情報検出信号および端末識別情報検出信号を制御回路４に供給する。
【００２８】
上述したように、システム識別符号検出回路５がシステム識別符号を検出し、グループ識別情報検出回路６がグループ識別情報６０を検出し、かつ端末識別情報検出回路８が端末識別情報６１を検出し、これらの検出信号が制御回路４に供給されると、制御回路４は更に無線受信回路２を継続動作させ、それ以降に送られてくるデータを受信する。そして、このシステム起動信号５４に続いて受信される相手局限定情報５８を受信して、１２桁の相手無線機、すなわち受信側無線機の呼出名称を識別し、受信側無線機は自分に対する送信電文であることを確認し、続いて送られてくる制御情報５９を受信する。このように制御情報を受信した後、図４（ｂ）に示すように起動応答（４２）が行われ、これに対して終了（４３）が行われる。
【００２９】
ところで、上述したように、受信側無線機子機の無線受信回路２による間欠キャリアセンス動作において、無線受信回路２がキャリアを検出したが、一定時間経過しても、上述したシステム識別符号５６およびグループ識別情報６０を検出できない場合には、ノイズや他の無線通信システムでの通信によるキャリア検出とみなし、制御回路４は無線受信回路２の動作を停止し、再度間欠キャリアセンス動作に戻る。
【００３０】
また、上述したように、受信側無線機子機の無線受信回路２による間欠キャリアセンス動作において無線受信回路２がキャリアを検出し、システム識別符号５６およびグループ識別情報６０を検出したが、端末識別情報６１を検出できない場合には、同一グループの無線機親機と他の無線機子機の通信中と判断し、間欠受信動作停止タイミング発生回路１１ａ〜１１ｎからのタイミング信号による間欠受信動作停止タイミングの間、間欠キャリアセンス動作を停止する。
【００３１】
次に、図５を参照して、本発明の第２および第３の実施形態に係わる無線自動検針システムに適用される無線機について説明する。
【００３２】
図５に示す第２および第３の実施形態の無線機は、それぞれ共通型端末識別情報検出回路１５および通信種別識別情報検出回路１６ａ〜１６ｎを有している点が図１に示す実施形態と異なるものである。
【００３３】
まず、共通型端末識別情報検出回路１５を有する第２の実施形態について説明する。第２の実施形態は、無線機親機の送信電文の端末識別情報として同一グループ内のすべての無線機子機に共通な、例えば「００００００００」のような８ビットの共通コードである共通型端末識別情報を使用するとともに、受信側の無線機子機は図５に示す共通型端末識別情報検出回路１５を使用して、前記共通コードである共通型端末識別情報を検出しようとするものである。
【００３４】
このように共通型端末識別情報を検出した場合には、間欠キャリアセンス動作を停止することなく、一旦すべての無線機子機２８ａ〜２８ｎを起動状態にし、その後、逐次メータを指定して検針データを収集採用して、検針収集の効率化を図ることができるとともに、また一斉にすべてのメータ２９ａ〜２９ｎの設定値を書き換えるなどの同報通信を行うことも効率的にできる。
【００３５】
次に、通信種別識別情報検出回路１６ａ〜１６ｎを有する第３の実施形態について説明する。第３の実施形態は、送信電文のシステム起動信号５４に図６に示すように「４ビット×２桁＋００」からなる１０ビットの通信種別識別情報６３を付加するとともに、この通信種別識別情報６３を図５に示す通信種別識別情報検出回路１６ａ〜１６ｎで検出しようとするものである。
【００３６】
通信種別識別情報６３は、例えば上述した図４に示す無線起動送信４１、起動応答４２、終了４３等により異なり、前記通信種別識別情報検出回路１６ａ〜１６ｎで検出した通信種別識別情報６３により駆動する間欠受信動作停止タイミング発生回路１１ａ〜１１ｎを変えることにより間欠キャリアセンス動作の停止時間を可変することができる。
【００３７】
更に詳しくは、送信側無線機がシステム識別情報５６、通信種別識別情報６３、グループ識別情報６０、端末識別情報６１を符号化して連続的に送信し、受信側無線機がキャリアセンス動作を間欠的に繰り返し行って、無線電波を検出し、この検出電波からシステム識別情報５６、グループ識別情報６０を検出したが、端末識別情報６１を検出できない場合には、通信種別識別情報６３の違いに基づいて間欠キャリアセンス動作の停止時間を可変し、同一グループ内の無線機親機と他の無線機子機との通信でのキャリアセンス動作による電池の消耗を低減するものである。
【００３８】
次に、本発明の第４の実施形態について説明する。
【００３９】
第４の実施形態は、第３の実施形態と同様に通信種別識別情報６３を有するも、この通信種別識別情報６３に間欠キャリアセンス動作を所定時間停止させる情報を設け、この情報に基づき無線機子機の間欠キャリアセンス動作を所定時間停止させ、これにより無線機親機からの無線通信による無線機子機を起動する間隔に合わせて、無線機子機の間欠キャリアセンス動作を停止させ、電池の消耗を低減するものである。
【００４０】
なお、上述した各実施形態においては、短縮型呼出名称の符号化にＢＣＨ（３２，１６）符号またはＢＣＨ（３２，２６）符号による誤り訂正符号を使用しているものとして説明したが、これらをＢＣＨ（３２，１６）符号またはＢＣＨ（３１，２６）符号で構成しても同様に効果を得ることができる。
【００４１】
ＢＣＨ（３２，＊）符号は、図７に示すように、ＢＣＨ（３１，＊）符号に１ビットのパリティビットを付加して誤り検出能力を高めたものである。また、一般的な符号形式として、ＢＣＨ符号を引用したが、グループ識別情報、端末識別情報、通信種別識別情報の中身は本発明と同一であれば、他の符号形式を使用してもよいものである。また、グループ識別情報、端末識別情報、通信種別識別情報の桁数は、上記実施形態に限定されるものではない。
【００４２】
【発明の効果】
以上説明したように、請求項１記載の本発明によれば、送信側無線機はシステム識別情報およびグループ識別情報と端末識別情報を送信し、受信側無線機は間欠キャリアセンス動作でシステム識別情報およびグループ識別情報を検出したが、端末識別情報を検出できない場合、間欠キャリアセンス動作を所定期間停止するので、すなわちノイズや同一グループ内の無線機親機と他の無線機子機との通信による無効なキャリアセンス動作を停止し、所定時間経過後、再び間欠キャリアセンス動作を行うため、同一グループ内の通信による無線受信動作回数を低減でき、電池の消耗を低減できる。
【００４３】
また、請求項２記載の本発明によれば、同一グループ内のすべての無線機子機を起動するための共通コードを使用して、無線機子機がグループ識別情報を検出し、かつ共通コードを検出した場合には、間欠キャリアセンス動作を停止しないので、例えば無線機親機から同一グループ内のすべての無線機子機を起動してから、メータを指定して検針データの収集を効率的に行ったり、すべてのメータの設定値の書き換え等を効率的に行うことができる。
【００４４】
更に、請求項３記載の本発明によれば、グループ識別情報および端末識別情報に通信種別識別情報を付加し、該通信種別識別情報により間欠キャリアセンス動作の停止時間を可変するので、受信側無線機はシステム識別情報およびグループ識別情報を検出したが、端末識別情報を検出できない場合、通信種別識別情報の違いにより間欠キャリアセンス動作の停止時間を可変し、同一グループ内の無線機親機と他の無線機子機との通信でのキャリアセンス動作による電池の消耗を低減することができる。
【００４５】
請求項４記載の本発明によれば、通信種別識別情報に設けられた間欠キャリアセンス動作の所定時間停止情報に基づき無線機子機の間欠キャリアセンス動作を所定時間停止させるので、無線機親機からの無線通信による無線機子機を起動する間隔に合わせて、無線機子機の間欠キャリアセンス動作を停止でき、電池の消耗を低減できる。
【図面の簡単な説明】
【図１】本発明の第１の実施形態に係わる無線自動検針システムに適用される無線機の構成を示すブロック図である。
【図２】図１に示す無線機が適用される無線自動検針システムの構成を示すブロック図である。
【図３】図１に示す無線機が相手無線機を呼び出すための送信電文の構成を示す図である。
【図４】図１に示す無線機が適用される無線自動検針システムの基本通信動作を示すタイミング図である。
【図５】本発明の第２および第３の実施形態に係わる無線自動検針システムに適用される無線機の構成を示すブロック図である。
【図６】第３の実施形態に使用される送信電文の構成を示す図である。
【図７】ＢＣＨ（３１，１６）符号とＢＣＨ（３２，１６）符号の構成を示す図である。
【符号の説明】
２  無線受信回路
３  無線送信回路
４  制御回路
５  システム識別符号検出回路
６  グループ識別情報検出回路
８  端末識別情報検出回路
９  システム起動信号連続送信回路
１１ａ〜１１ｎ  間欠受信動作停止タイミング発生回路
１５  共通型端末識別情報検出回路
１６ａ〜１６ｎ  通信種別識別情報検出回路
２１  センタ装置
２７  無線機親機
２８ａ〜２８ｎ  無線機子機
２９ａ〜２９ｎ  メータ
【図１】
0003702092.tif 000002
【図２】
0003702092.tif 000003
【図３】
0003702092.tif 000004
【図４】
0003702092.tif 000005
【図５】
0003702092.tif 000006
【図６】
0003702092.tif 000007
【図７】
0003702092.tif 000008